(57)【要約】      （修正有）【課題】ロータの軸受を支持するハウジング機構をステータ絶縁体に設け、エンドブラケットを廃し、電動送風機の軸方向長さを短縮することで、送風効率に優れ、小型、軽量の電動送風機を提供する。【解決手段】回転軸２を有するロータ９の外周に配置されたステータ１０と回転軸２の一方の軸受５を保持すると共にステータ１０を覆うブラケット６で構成されるブラシレスモータ１６と、回転軸２に固定されたインペラ１７と、インペラ１７の外周に通風路を形成するエアガイド１８と、インペラ１７を覆うファンケース１９とを備え、ステータ１０は、ステータ鉄心１１と絶縁体８とステータ巻線１２で形成され、絶縁体８に回転軸２の他方の軸受５を支持するハウジング７ｂを設ける。【選択図】図１
2020054067.tif 000002
【特許請求の範囲】
【請求項１】
回転軸を有するロータと前記ロータ外周に配置されたステータと前記回転軸の一方の軸受を保持すると共に前記ステータを覆うブラケットとで構成されるブラシレスモータと、前記回転軸に固定されたインペラと、前記インペラの外周に通風路を形成するエアガイドと、前記インペラを覆い前記エアガイド前面に固定されたファンケースとを備え、前記ステータは、ステータ鉄心と絶縁体とステータ巻線で形成され、前記絶縁体に前記回転軸の他方の軸受を支持するハウジングを設けたことを特徴とする電動送風機。
【請求項２】
ステータ巻線を結線するための端子と、前記端子を絶縁体に固定するための端子台を備え、前記端子台をハウジングの外周部に配置した請求項１に記載の電動送風機。
【請求項３】
請求項１又は２に記載の電動送風機を搭載した電気掃除機。
【発明の詳細な説明】
【技術分野】
【０００１】
本発明は、ブラシレスモータを小型でかつ軽量の構成で実現し、高い送風効率と生産性を有する電動送風機およびそれを用いた電気掃除機に関するものである。
【背景技術】
【０００２】
従来、この種の電動送風機は、回転軸の軸受保持において、一方をステータを覆うブラケットに設けたハウジング機構に、他方をエンドブラケットに設けたハウジング機構で保持する構成が多く用いられている（例えば、特許文献１参照）。
【０００３】
図５は、上記特許文献１に記載された従来の電動送風機の正面断面図で、同図に示すように、従来の電動送風機のモータを構成するロータは、ステータを覆うブラケットとエンドブラケットで挟持されているのが一般的であった。
【先行技術文献】
【特許文献】
【０００４】
【特許文献１】特開２０１３−５７３００号公報
【発明の概要】
【発明が解決しようとする課題】
【０００５】
しかしながら、前記特許文献１に記載された従来の電動送風機の構成では、ハウジング機構を持つエンドブラケットで軸受を支持するため、部品点数が多くなるとともに、通風抵抗が大きく、モータの軸方向が長くなるという課題を有していた。
【０００６】
本発明は、前記従来の課題を解決するもので、部品点数を削減し、通風抵抗を削減すると共にモータの軸方向長さを短くし、軽量で送風効率を向上し、かつ小型化を実現した電動送風機及び電気掃除機を提供することを目的とする。
【課題を解決するための手段】
【０００７】
前記従来の課題を解決するために、本発明の電動送風機は、回転軸を有するロータと前記ロータ外周に配置されたステータと前記回転軸の一方の軸受を保持すると共に前記ステータを覆うブラケットとで構成されるブラシレスモータと、前記回転軸に固定されたインペラと、前記インペラの外周に通風路を形成するエアガイドと、前記インペラを覆い前記エアガイド前面に固定されたファンケースとを備え、前記ステータは、ステータ鉄心と絶縁体とステータ巻線で形成され、前記絶縁体に前記回転軸の他方の軸受を支持するハウジングを設けたもので、ハウジング機構を持つエンドブラケットで軸受を保持する必要がないので、通風抵抗が減り、ブラシレスモータの軸方向長さを短縮すると共に部品点数を削減することができ小型で軽量かつ生産性の高い電動送風機を提供することができる。
【０００８】
また、本発明の電気掃除機は、請求項１又は２に記載の電動送風機を搭載したもので、小型、軽量の電気掃除機を提供することができる。
【発明の効果】
【０００９】
本発明の電動送風機は、部品点数を削減することにより、送風効率、生産性を向上させることが可能でかつ小型化及び軽量化することができる。
【図面の簡単な説明】
【００１０】
【図１】本発明の実施の形態１における電動送風機の正面断面図
【図２】同電動送風機の部分上面図
【図３】本発明の実施の形態２における電動送風機の正面断面図
【図４】同電動送風機の部分上面図
【図５】従来の電動送風機の正面断面図
【発明を実施するための形態】
【００１１】
第１の発明は、回転軸を有するロータと前記ロータ外周に配置されたステータと前記回転軸の一方の軸受を保持すると共に前記ステータを覆うブラケットとで構成されるブラシレスモータと、前記回転軸に固定されたインペラと、前記インペラの外周に通風路を形成するエアガイドと、前記インペラを覆い前記エアガイド前面に固定されたファンケースとを備え、前記ステータは、ステータ鉄心と絶縁体とステータ巻線で形成され、前記絶縁体に前記回転軸の他方の軸受を支持するハウジングを設けたもので、ハウジング機構を持つエンドブラケットで軸受を保持する必要がないので、通風抵抗が減り、ブラシレスモータの軸方向長さを短縮すると共に部品点数を削減することができ小型で軽量かつ生産性の高い電動送風機を提供することができる。
【００１２】
第２の発明は、特に、第１の発明の電動送風機において、ステータ巻線を結線するための端子と、前記端子を絶縁体に固定するための端子台を備え、前記端子台をハウジングの外周部に配置したもので、ステータ鉄心の継鉄部を覆う絶縁体を削減することができ、軽量で生産性の高い電動送風機とすることができる。
【００１３】
第３の発明に係る電気掃除機は、請求項１又は２に記載の電動送風機を搭載したもので、小型、軽量の電気掃除機を提供することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電動送風機の正面断面図、図２は、同電動送風機の部分上面図である。
【００１６】
図１、２において、本実施の形態における電動送風機１は、回転軸２と、回転軸２に固定された環状磁性体３と、回転バランスをとるための環状非磁性体金属４と、回転軸２を支持する軸受５を有し、軸受５を、ブラケット６に設けたハウジング７ａとステータ１０の絶縁体８に設けたハウジング７ｂで支持されたロータ９と、ロータ９の外周に配置されたステータ１０と、ステータ１０を覆うブラケット６と、ステータ鉄心１１と、磁界を発生させるステータ巻線１２と、ステータ鉄心１１とステータ巻線１２を絶縁する絶縁体８と、ステータ巻線１２を結線するための端子１３及び端子１３を固定するための端子台１４と、回転制御を行う制御回路基板１５で構成されるブラシレスモータ１６と、回転軸２に固定されたインペラ１７と、通風路を形成するエアガイド１８と、インペラ１７を覆うファンケース１９とを備えている。
【００１７】
２０は、ステータ鉄心１１の継鉄部である。
【００１８】
以上のように構成された本実施の形態における電動送風機１の動作、作用を以下に説明する。
【００１９】
まず、電動送風機１の動作について説明する。図１、図２において、ステータ巻線１２を励磁することで回転磁界が発生し、回転磁界と同期してロータ９が回転し、回転軸２に固定されたインペラ１７が回転する。インペラ１７が回転することでインペラ１７内部の
空気が外周へと押しやられ、インペラ１７内部が負圧になり、インペラ１７へ流れ込む気流が発生する。
【００２０】
気流は、インペラ１７の吸引口１７ａから軸方向に流入し、インペラ１７外周へ吐出する。インペラ１７から吐出した気流は、エアガイド１８に流入する。エアガイド１８に流入した気流は減速されながら、ブラケット６内に流入し、ロータ９とステータ１０を冷却した気流は、エンドブラケットがないことで、通風抵抗を受けることなく制御回路基板１５を冷却し排気される。
【００２１】
以上のように、本実施の形態においては、ロータ９の軸受５を、ステータ鉄心１１とステータ巻線１２の絶縁体８に設けたハウジング７ｂで支持することにより、従来用いられてきたハウジング機構を持つエンドブラケットが不要で、それにより通風抵抗を低減し、電動送風機１の軸方向長さを短く、また部品点数を削減することができ、送風効率及び制御回路基板１５への冷却風、生産性を向上させ、また小型化、軽量化することができる。
【００２２】
（実施の形態２）
図３は、本発明の第２の実施の形態における電動送風機の正面断面図、図４は、同電動送風機の正面断面図である。なお、上記実施の形態１における電動送風機と同一要素については、同一符号を付してその説明を省略する。
【００２３】
図３、４において、本実施の形態における電動送風機１ａは、ハウジング７ｂの外周部に、端子１３及び端子１３を固定するための端子台１４を設けたもので、その他の構成は、上記実施の形態１における電動送風機と同一である。
【００２４】
以上のように構成された本実施の形態における電動送風機１ａについて、以下、その動作、作用を説明する。
【００２５】
ステータ巻線１２を励磁することで回転磁界が発生し、回転磁界と同期してロータ９が回転し、回転軸２に固定されたインペラ１７が回転する。インペラ１７が回転することでインペラ１７内部の空気が外周へと押しやられ、インペラ１７内部が負圧になり、インペラ１７へ流れ込む気流が発生する。気流は、インペラ１７の吸引口１７ａから軸方向に流入し、インペラ１７の外周に吐出する。
【００２６】
インペラ１７から吐出した気流は、エアガイド１８に流入する。エアガイド１８に流入した気流は減速されながら、ブラケット６内に流入し、ロータ９とステータ１０を冷却した気流は、エンドブラケットがないことで、通風抵抗を受けることなく制御回路基板１５を冷却し排気される。
【００２７】
図３、図４に示すように、ステータ巻線１２において、各相の巻線を結線するにあたり、端子１３を用いているが、その際、ステータ鉄心１１に巻線しているものは磁界を発生し、磁性体であるステータ鉄心１１を通じ磁力となるが、結線のために伸長した巻線は、磁性体であるステータ鉄心１１までの距離があるため、磁力に寄与しない。この伸長する巻線は、極力短くすることが巻線抵抗損失を抑えることになり、モータ効率を考える上で望ましい。
【００２８】
以上のように本実施の形態によれば、ステータ鉄心１１の継鉄部２０ではなく、ハウジング７ｂの外周部に端子台１４を配置することで、結線のための巻線の長さとステータ鉄心１１の絶縁体８の大きさを最小限にすることが可能となる。
【００２９】
以上のように、本実施の形態においてはハウジング７ｂの外周部に端子台１４を配置す
ることで、結線のための巻線の長さとステータ鉄心１１の絶縁体８の大きさを最小限にすることが可能であり巻線抵抗損失を抑制することで、モータ効率を向上させることと部品点数を削減することができ、生産性を向上させ、また軽量化することができる。
【００３０】
なお、上記実施の形態１又は２に記載の電動送風機（１又は１ａ）を、電気掃除機（図示せず）に搭載すれば、電気掃除機の小型化、軽量化を図ることができる。
【産業上の利用可能性】
【００３１】
以上のように、本発明にかかる電動送風機は小型軽量低コストで信頼性を高めることが可能であり、電気掃除機の用途に適用できる。
【符号の説明】
【００３２】
１、１ａ  電動送風機
２  回転軸
３  環状磁性体
４  環状非磁性体金属
５  軸受
６  ブラケット
７ａ、７ｂ  ハウジング
８  絶縁体
９  ロータ
１０  ステータ
１１  ステータ鉄心
１２  ステータ巻線
１３  端子
１４  端子台
１５  制御回路基板
１６  ブラシレスモータ
１７  インペラ
１７ａ  吸引口
１８  エアガイド
１９  ファンケース
２０  継鉄部
【図１】
2020054067.tif 000003
【図２】
2020054067.tif 000004
【図３】
2020054067.tif 000005
【図４】
2020054067.tif 000006
【図５】
2020054067.tif 000007